(57)【要約】【課題】従来品と比べて小さなサイズで、操作性が良好で、意匠性に富んだリモコンセットを提供する。【解決手段】トイレルーム壁面に取り付けられたリモコンハンガーと、このリモコンハンガーに着脱自在なリモコンとで構成されたリモコンセットである。リモコンハンガーに装着された状態にあるとき露出することのないリモコン背面Ｃには、使用頻度の少ない設定指令系操作部であるリモコン背面部操作部４を群として配置している。また、リモコン天面Ａおよびリモコン正面Ｂには、衛生洗浄装置を操作するときに必要最低限で使用頻度の高い動作指令系操作部であるリモコン天面部操作部２およびリモコン正面部操作部３をそれぞれ群として配置している。【選択図】  図１
2005204271.tif 000002
【特許請求の範囲】
【請求項１】
複数の操作部を有し、壁面に取付けられたリモコンハンガーに対して着脱自在とされる取付部を備えたリモコンと、前記リモコンを壁面に着脱可能に装着するためのリモコンハンガーからなるリモコンセットにおいて、前記リモコンを壁面に取付けた状態で視認不可能な位置に前記複数の操作部中の一部の操作部を設け、前記リモコンを壁面に取付けた状態で視認可能な位置に他の操作部を設けたことを特徴とするリモコンセット。
【請求項２】
前記一部の操作部及び前記取付部を、前記リモコンの背面に設けた請求項１記載のリモコンセット。
【請求項３】
前記リモコンは、正面、天面、底面、背面および左右側面からなる六面体構成を備えてなり、前記背面に前記取付部を設けると共に前記一部の操作部を設けた請求項１記載のリモコンセット。
【請求項４】
前記リモコンの高さ寸法及び奥行き寸法を２０ｍｍ以上５０ｍｍ以下とした請求項１〜３のいずれかに記載のリモコンセット。
【請求項５】
前記操作部をリモコンの一側面に片寄せて配置し、他側面側に操作部を配置しない握り部を設けた請求項４記載のリモコンセット。
【請求項６】
前記底面、背面、左右側面を樹脂成型した樹脂基台により構成し、前記正面および天面を、一つの金属製の表面ケースにより構成した請求項３記載のリモコンセット。
【請求項７】
前記表面ケースにより構成されたリモコンの正面および天面に、前記他の操作部を設けた請求項６記載のリモコンセット。
【請求項８】
前記天面に、赤外線信号発信用のＩＲ窓および複数の操作部を、同一形状として規則的な間隔を介して設けた請求項７記載のリモコンセット。
【請求項９】
前記取付部に、リモコンを前記リモコンハンガーに装着したことを検知する機能を設けた請求項１〜８のいずれかに記載のリモコンセット。
【請求項１０】
前記正面に設けた操作部を正面視円形状のキートップとし、前記キートップ中心を軸としてキートップを回転可能とした請求項７記載のリモコンセット。
【請求項１１】
前記操作部の特殊操作により、前記赤外線信号発信の態様を切り替え可能とした請求項１〜１０のいずれかに記載のリモコンセット。
【請求項１２】
前記背面に、前記一部の操作部を操作すると点灯する表示部を設けた請求項１〜１１のいずれかに記載のリモコンセット。
【請求項１３】
リモコンと前記リモコンを壁面に着脱可能に装着するためのリモコンハンガーからなるリモコンセットにおいて、前記リモコンハンガーに設けられた係止手段に着脱可能な取付け部を前記リモコンの背面の両端部にそれぞれ設け、前記取付け部の間の領域に操作部の一部を配置したことを特徴とするリモコンセット。
【請求項１４】
前記背面における前記取付け部の間の領域に、表示部、電池カバーの少なくとも一方を配置した請求項１３記載のリモコンセット。
【請求項１５】
前記リモコンの背面に配置された操作部と前記リモコンハンガーの正面との接触を阻止するため、対向する前記リモコンの背面、前記リモコンハンガーの正面の少なくとも一方に凸部を設けた請求項１３または１４記載のリモコンセット。
【発明の詳細な説明】
【技術分野】
【０００１】
本発明は、機能の異なる複数の操作部を有するリモコンセット、特に、トイレルームに設置される衛生洗浄装置等のトイレ装置の遠隔操作に用いるためトイレルーム壁面などに配置されるリモコンセットに関する。
【背景技術】
【０００２】
トイレルームに設置された衛生洗浄装置に備わる種々の機能を遠隔操作によって作動させるために、トイレルーム壁面などにはリモコンセットが配置されている。従来のリモコンセットは、一般に、トイレルーム壁面に固定されたリモコンハンガーとこれに着脱可能に装着されたリモコンとで構成され、リモコンには、平板状をした正面パネルに種々の操作部や表示部が配置されている。また、平常は、操作部の一部や表示部を開閉自在なカバーによって隠蔽する構成としたものもある（例えば、特許文献１参照）。
【０００３】
一方、トイレルーム壁面に取付けられた状態で目立ちやすいリモコンの正面パネルに使用頻度の高い種々の操作部を配置し、この面と交わる他の面にその他の操作部を配置したものもある（例えば、特許文献２参照）。
【０００４】
【特許文献１】特開２００３−７１６２号公報
【特許文献２】特開平０９−１６７５３７号公報
【発明の開示】
【発明が解決しようとする課題】
【０００５】
しかしながら、上述した従来のリモコンにあっては、衛生洗浄装置の多様な機能に対応させた種々の操作部を全て配置するとリモコンの大型化を回避することができなくなる。そこで、例えば、カバーによって操作部を隠蔽することによって操作部が乱雑に並ぶ煩雑さを抑えることは可能であるが、隠蔽した面積自体はリモコンの大きさに影響を与えるため、実際には、横幅２００ｍｍ、高さ１５０ｍｍ、奥行き２２ｍｍ程度の大きさとならざるを得ず、リモコンそのものの形状を画期的に小さくすることはできない状況にある。
【０００６】
また、近年においては、高級感を有するデザインが施された衛生洗浄装置付き便器も市場に登場し、高級マンション、高級店舗あるいは高級ホテルなどに設置され、好評となっている。しかし、このような高級な衛生洗浄装置付き便器に付設されるリモコンは、従来と同様、合成樹脂を素材とするものであり、質感などの点で調和がとれないといった問題も生じている。
【０００７】
本発明は、上記問題点の解決を目的とするものであり、本発明が解決しようとする課題は、従来品と比べて小さなサイズで、操作性が良好で、意匠性に富んだリモコンセットを提供することにある。
【課題を解決するための手段】
【０００８】
上記目的を達成するために、請求項１の発明は、複数の操作部を有し、壁面に取付けられたリモコンハンガーに対して着脱自在とされる取付部を備えたリモコンと、前記リモコンを壁面に着脱可能に装着するためのリモコンハンガーからなるリモコンセットにおいて、前記リモコンを壁面に取付けた状態で視認不可能な位置に前記複数の操作部中の一部の操作部を設け、前記リモコンを壁面に取付けた状態で視認可能な位置に他の操作部を設けたことを特徴とする。これにより、必要最低限で使用頻度の高いスイッチのみを表面側に露出して配置できるため、使用者に操作時の煩雑感を与えることがなくなり、操作性が良好となり、小型で意匠性に富んだリモコンを提供することができる。
【０００９】
請求項２の発明は、前記一部の操作部及び前記取付部を、前記リモコンの背面に設けたことを特徴とする。これにより、前記一部の操作部及び前記取付部は、視認されなくなるため、意匠性が向上する。
【００１０】
請求項３の発明は、前記リモコンは、正面、天面、底面、背面および左右側面からなる六面体構成を備えてなり、前記背面に前記取付部を設けると共に前記一部の操作部を設けたことを特徴とする。これにより、リモコンハンガーへの取付部を有する面に設けた操作部の一部は、リモコンをリモコンハンガーから外さない限り操作することができないので、一部の操作部の誤操作を防止できる。
【００１１】
請求項４の発明は、前記リモコンの高さ寸法及び奥行き寸法を、２０ｍｍ以上５０ｍｍ以下としたことを特徴とする。これにより、リモコンを片手で握ることが可能となるため、リモコンをハンガーから外して操作する際に誤って床に落とすのを防止することができる。特に、高さ寸法を５０ｍｍ程度に、奥行き寸法を２０ｍｍ程度にすれば、手指を曲げてリモコンを確実に握ることが可能となるほか、壁面に取付けた状態における突出寸法を小さくすることができる。
【００１２】
請求項５の発明は、前記操作部をリモコンの一側面に寄せて配置し、他側面側に操作部を配置しない握り部を設けたことを特徴とする。このような構成とすれば、使用者が手持ち操作のときに、意図せず、操作部を誤って押下することによる衛生洗浄装置の誤動作を防止することができる。また、リモコン背面に配した、主に温水温度や便座温度や節電機能などの設定系である第２の操作部群を容易に押下することができるようになり、操作性を向上させることができる。
【００１３】
請求項６の発明は、前記底面、背面、左右側面を樹脂成型した樹脂基台により構成し、前記正面および天面を一つの金属製の表面ケースにより構成したことを特徴とする。これにより、ヘアラインやブラスト処理など樹脂部材では表現しにくい表面処理加工を金属部材に施し、更には金属部材の端面を露出することで部材の厚みを強調し、リモコン本体の重たさや触ったときの冷たさを使用者に伝えることで、独特の高級感を得たリモコン構成が可能となり、従来のリモコンよりも飛躍的に意匠性を高めることができる。
【００１４】
請求項７の発明は、前記表面ケースにより構成されたリモコンの正面および天面に、前記他の操作部を設けたことを特徴とする。これにより、衛生洗浄装置を操作する必要最低限で使用頻度の高いスイッチをリモコンの２面に分けて配置することになるので、機能に合った操作部を群としてリモコンの正面と天面に分離することができ、さらにリモコンのサイズを小型化することができる。
【００１５】
請求項８の発明は、前記天面に、赤外線信号発信用のＩＲ窓および複数の操作部を、同一形状として規則的な間隔を介して設けたことを特徴とする。これにより、赤外通信用のＩＲ窓が金属製の表面ケースに孤立して取り付く違和感をなくし、意匠性を向上することができる。
【００１６】
請求項９の発明は、前記取付部に、リモコンを前記ハンガーに装着したことを検知する機能を設けたことを特徴とする。これにより、例えば、リモコンのハンガーへの装着時と非装着時とで、一つの操作部を異なる機能に変化させることも可能となる。
【００１７】
請求項１０の発明は、前記正面に設けた操作部を正面視円形状のキートップとし、前記キートップ中心を軸としてキートップを回転可能としたことを特徴とする。これにより、リモコンを自在に縦型・横型に変更することが可能となり、たとえばリモコン取り付けスペースが狭い壁においても、最適な取り付け方法を選択できるようになる利便性を提供することができる。
【００１８】
請求項１１の発明は、前記操作部の特殊操作により、前記赤外線信号発信の態様を切り替え可能としたことを特徴とする。これにより、衛生洗浄装置本体に信号伝達するのに、ＬＥＤの向きが最適な発光ＬＥＤを選択して発光させることができ、赤外通信で消費する電池容量をむやみに使用することがなくなり、省エネ化が図られ、電池寿命を延命することが可能となる。
【００１９】
請求項１２の発明は、前記背面に、前記一部の操作部を操作すると点灯する表示部を設けたことを特徴とする。これにより、使用者が表示を確認する必要があるときのみ、表示部を点灯させることができ、液晶やＬＥＤによる不要な電池消費を回避し、省エネ化が図られ、電池寿命を延命することが可能となる。
【００２０】
請求項１３の発明は、リモコンと前記リモコンを壁面に着脱可能に装着するためのリモコンハンガーからなるリモコンセットにおいて、前記リモコンハンガーに設けられた係止手段に着脱可能な取付け部を前記リモコンの背面の両端部にそれぞれ設け、前記取付け部の間の領域に操作部の一部を配置したことを特徴とする。このような構成とすれば、リモコンハンガーからリモコンを離脱させる際、リモコンの取付け部の一方がリモコンハンガーの一方の端部の係止手段に係合したままの状態で引っ張られるようなことがあっても、係止手段や取付け部の破損を防止することができる。
【００２１】
請求項１４の発明は、前記背面における前記取付け部の間の領域に、表示部、電池カバーの少なくとも一方を配置したことを特徴とする。このような構成とすることにより、リモコン全体の形状を薄く、細長い形状とすることができる。
【００２２】
請求項１５の発明は、前記リモコンの背面に配置された操作部と前記リモコンハンガーの正面との接触を阻止するため、対向する前記リモコンの背面、前記リモコンハンガーの正面の少なくとも一方に凸部を設けたことを特徴とする。このような構成とすることにより、リモコンをリモコンハンガーに装着した状態における、リモコン背面の操作部とリモコンハンガーとの接触を防止することができるので、操作部の誤動作や損傷を回避することができる。
【発明の効果】
【００２３】
複数の操作部を有し、壁面に取付けられたリモコンハンガーに対して着脱自在とされる取付部を備えたリモコンと、前記リモコンを壁面に着脱可能に装着するためのリモコンハンガーからなるリモコンセットにおいて、前記リモコンを壁面に取付けた状態で視認不可能な位置に前記複数の操作部中の一部の操作部を設け、前記リモコンを壁面に取付けた状態で視認可能な位置に他の操作部を設けたことにより、従来品と比べて小さなサイズとなり、操作性が良好となり、小型で意匠性に富んだリモコンセットが得られる。
【発明を実施するための最良の形態】
【００２４】
以下、図面に基づいて、本発明の実施の形態であるリモコンについて説明する。なお、本実施形態のリモコンは、衛生洗浄装置の遠隔操作用として、トイレルーム壁面に取付けて使用することから、本願明細書においては、壁面に取付けた状態にあるリモコンの上側を天面、壁面に相対する面を背面、壁面の反対側に位置する面を正面として説明を行う。
【００２５】
図１は、本発明の実施の形態であるリモコンを示す図であり、平面図、正面図、背面図、右側面図である。リモコンは、正面、天面、底面および左右側面からなる六面体構造で形成されており、正面および天面は金属製の表面パネル７（以下、「表面ケース７」という。）で一体的に形成され、底面、背面および左右側面を樹脂成形されたボトムケース８（以下、「樹脂基台８」という。）で一体的に形成されている。
【００２６】
図１において、Ａはリモコン正面、Ｂはリモコン天面、Ｃはリモコン背面であり、１は天面部赤外線発光フィルタ、２はリモコン天面部操作部、３はリモコン正面部操作部、４はリモコン背面部操作部、５はリモコン背面部表示部、６は電池カバー、７は金属製の表面ケース、８は樹脂基台である。また、このリモコンを、トイレルーム壁面に取り付けられたハンガー（後述する図１４，図１５参照）に着脱自在に取り付けるため、リモコン背面Ｃの左右端部付近にそれぞれ溝状の取付け部１４２が１つずつ設けられている。
【００２７】
このリモコンは、トイレルーム壁面に取り付けられたハンガー（後述する図１４，図１５参照）に着脱自在であり、トイレルーム壁面のハンガーに取付けられた状態にあるとき露出することのないリモコン背面部操作部４は、使用頻度の少ないスイッチを群として配置し、これらは隠蔽されている。したがって、リモコン背面部操作部４は、リモコンをハンガーから外さない限り操作することができないので、誤操作を防止することができる。
【００２８】
また、衛生洗浄装置を操作するときに必要最低限で使用頻度の高いスイッチをリモコンの２面に分けて配置しているので、機能に合った操作部を群として、リモコンの正面と天面とに分離配置することができ、リモコンを小型化することができる。
【００２９】
リモコンの表面ケースとして使用される金属製表面ケース７はＬ型に折曲されており、リモコン正面Ａおよびリモコン天面Ｂの基材となっている。リモコン正面Ａには、リモコン正面部操作部３が配置され、リモコン天面Ｂには、天面部赤外線発光フィルタ１（ＩＲ窓）およびリモコン天面部操作部２が配置される構成である。壁取付け状態において、使用者が視認しやすい金属製表面ケース７に配するスイッチ類は、衛生洗浄装置本体の使用機能のなかで、おしり洗浄や便器洗浄、電動開閉などの使用頻度の高い動作指令系操作部のみとすることで、使用者が視認するスイッチ類を少なくし、スイッチ操作を限定させ、簡便な操作を提供することに寄与している。
【００３０】
リモコンの背面ケースとして使用される樹脂基台８は、リモコン背面Ｃの基材となっている。リモコン背面Ｃには、リモコン背面部操作部４、リモコン背面部表示部５および電池カバー６を配し、衛生洗浄装置本体の使用機能のなかで、設定温度や時間、便器自動洗浄や自動座蓋開閉などのオート機能のＯＮ／ＯＦＦを指示する機能を有する設定指令系操作部のみをリモコン背面操作部４として設けている。
【００３１】
リモコンの壁取付け状態において、これらの設定指令系の操作部４，表示部５などを壁面側に隠蔽することにより、雑多な操作部の露出を防ぎ、リモコン形状を大幅に小型化することが可能であり、狭い空間への取付けも容易となり、さらには意匠性を大幅に向上する価値を使用者に提供できる。
【００３２】
図２は、リモコンの断面図である。図２において、１１は正面部操作部用キートップ、１２は正面部操作部用ラバーシール、１３は正面部操作部用摺動パーツ、１４は正面部操作部用基板、１５は正面部操作部用スイッチ、１６はインナー押さえパーツ、１７は天面部メタルプレート、１８は天面部操作部用スイッチ、１９は天面部操作部用ラバーシール、２０は天面部操作部用キートップ、２１は天面部操作部用摺動パーツ、２２は天面部操作部用押さえネジ、２３は正面部操作部用押さえネジ、２４は背面部操作部用基板、２５はＬＣＤ表示部、２６は背面部操作部用キートップラバー基板、２７は背面部操作部用スイッチ、２８は正面部操作部用押さえネジ用嵌合パーツである。
【００３３】
金属製表面ケース７にはプレス加工およびＮＣ加工を用いて各穴や座繰りを施す。この金属製表面ケース７に正面部操作部用摺動パーツ１３を実装して、上から正面部操作部用キートップ１１を実装する。正面部操作部用摺動パーツ１３は金属製表面ケース７に加工された位置決め穴で、位置固定される構造を持ち、正面部操作部用摺動パーツ１３によって正面部操作部用キートップ１１自身も、金属製表面ケース７に位置決めされる。正面部操作部用摺動パーツ１３は正面部操作部用ラバーシール１２および正面部操作部用基板１４の取り付け基材となり、背面部操作部用基板２４によって支えられたインナー押さえパーツ１６によっても支持される。
【００３４】
この構造により、正面部操作部用キートップ１１を押し込んだ場合には、正面部操作部用スイッチ１５に作動力が発生し、スイッチの起動が可能となる。更に、押し込まれた荷重については、インナー押さえパーツ１６の支持により保持する構造となる。
【００３５】
金属製表面ケース７は数ｍｍの厚みをもった金属素材を使用し、押し出し成型やダイカスト成型により加工されるが、図１に示すように、その端面をあえて外観に露出する構造として、素材の厚み感を視認できるデザインとしている。
【００３６】
天面部操作部の構成については、金属製表面ケース７に天面部操作部用摺動パーツ２１を実装する。更に、天面部操作部用摺動パーツ２１の上に天面部操作部用キートップ２０を実装し、天面部操作部用摺動パーツ２１は金属製表面ケースに加工された位置決め穴で、位置出しされる構造を持ち、天面部操作部用摺動パーツ２１によって天面部操作部用キートップ２０自身も、金属製表面ケース７に位置決めされる。更に、天面部操作部用ラバーシール１９および天面部操作部用基板１７を実装するが、天面部操作部用基板１７はメタルプレート構造になっており、前述の天面部操作部の各スイッチを金属製表面ケース７に固定する基材となる。
【００３７】
天面部操作部用基板１７の片側は金属製表面ケース７の内側に成型したレールに引っ掛ける構造とし、逆側についてはＬアングルにて、金属製表面ケース７の内側に成型した別のレールと天面部操作部用押さえネジ２２によって結合させる。この構造により、天面部操作部用キートップ２０を押し込んだ場合には、天面部操作部用スイッチ１８に作動力が発生し、スイッチの起動が可能となる。
【００３８】
背面部操作部の構成については、樹脂基台８に背面操作部用穴を開口し、背面部操作部用キートップラバー基板２６を実装する。この上から、ＬＣＤ表示部２５および背面部操作部用スイッチ２７が実装された背面部操作部用基板２４を実装してネジ止めにより固定する。背面部操作部用基板２４は、正面部操作部用摺動パーツ１３によって支えられたインナー押さえパーツ１６によっても支持される。最後に、正面部操作部用押さえネジ用嵌合パーツ２８を介して正面部操作部用押さえネジ２３で固定することで本リモコンが組み立てられる。
【００３９】
この構成により、金属部材（金属製表面ケース７）と樹脂部材（樹脂基台８）との結合が可能になるばかりでなく、各部品のつなぎ目などをリモコンの外観に露出することを極力無くしている。また、金属製表面ケース７の厚みを、あえて外観に露出する構造として、素材の厚み感を視認できるデザインとすることが可能である。
【００４０】
図３は、赤外線投光部を説明するために、リモコンを一部内部透視状態とした概略背面図である（操作部や表示部の図示を省いている。）。図３において、３１は赤外線発光ＬＥＤである。発光ＬＥＤの投光方向の前方に設置する赤外線フィルタは、樹脂基台８と一部品とされた樹脂パーツとして構成する。これにより、従来ケースと赤外線フィルタを別パーツにて構成したときに発生する接合ラインがなくなり、意匠性が向上する。また、その接合ラインからリモコン内部に侵入する湿気に代表される雰囲気に対しても、侵入経路をなくすことで耐性を向上させることが可能となる。
【００４１】
図４は、リモコンの金属製表面ケース７のコーナーＲを説明する斜視図である。図において、４１はリモコンの正面Ａおよび天面Ｂを構成する金属製表面ケース７のコーナー部である。コーナー部４１にはＮＣ加工機により大きなＲが形成されている。さらに、金属性表面ケース７の端面に面取り加工を施している。この部分に大きくＲをとることで、リモコンを誤って落下したとき、衝突先に対して傷などを発生させる危険性を防止する効果があり、更には、リモコンを小さく見せる意匠的な効果がある。
【００４２】
図５は、リモコンの手持ち箇所を説明する外観図（平面図、正面図）である。なお、リモコンの操作部の態様を一部変更した例で説明する。図５において、５１はリモコン手持ちスペースである。図５に示すように、横幅２９０ｍｍ、高さ４０ｍｍ、奥行き（厚み）２３ｍｍの棒形状のリモコンにおいて、操作部の配置を図面上左方向に集めて配置しており、右方向にはリモコン背面を含めて操作部の配置を避けた構成としている。
【００４３】
これにより、使用者がリモコンの手持ち操作をする際に、手持ちスペース５１を握れば、意図せず操作部を押下してしまう不具合を回避できる。また、使用者は手指を折り曲げて確実にリモコンを握ることができ、壁取付け時の前出寸法を小さくすることができる。更に、本リモコンの特徴である金属の重量や温度を、使用者が堪能するに適した構成とすることができる。
【００４４】
手持ちスペース５１には積極的にラウンド形状を施し、握りやすい構造としており、手持ち操作時の操作部の操作がしやすい工夫が施してある。更には、リモコンの電池収容スペースをこの手持ちスペース５１に配することにより、小型リモコンとしての部品スペースの有効活用が意図された構造となっている。
【００４５】
図６は、リモコンのスイッチ表示に使用するピクトグラムの例を示す図である。図６において、６１は「おしり洗浄表示」、６３は「やわらか洗浄表示」、６５は「ビデ洗浄表示」、６７は「乾燥表示」である。さらに、６２は「おしり洗浄表示」の第二例、６４は「やわらか洗浄表示」の第二例、６６は「ビデ洗浄表示」の第二例、６８は「乾燥表示」の第二例である。
【００４６】
このように、本リモコンにおいては、使用頻度の高いスイッチ類、すなわち衛生洗浄装置の洗浄・乾燥機能の操作部をクローズアップし、使用者の視認し易い金属製表面ケース７の正面に配することにより、煩わしいスイッチ選択をさせない構成である。加えて、これらピクトグラム表示をスイッチキートップ上又はその近傍に配することで、詳細の機能説明をしなくともスイッチの意味を使用者に簡潔に理解させることができる。
【００４７】
更に、文字表示をピクトグラムに対して充分に小さい大きさとして補助的に使うことにより、文字表示を必要とする使用者にも配慮することができる。このような構成としたことにより、煩雑な情報を金属製表面ケース７に表示しない、意匠性の高いリモコンを使用者に提供することができる。
【００４８】
図７は、リモコンのスイッチ表示に使用するキートップ形状表現の別の例を示す図である。７１は「おしり洗浄キートップ形状表示」、７２は「やわらか洗浄キートップ形状表示」、７３は「ビデ洗浄キートップ形状表示」、７４は「乾燥キートップ形状表示」、７５は「水勢調節キートップ形状表示」である。７６は「おしり洗浄キートップ形状表示」の横面視、７７は「やわらか洗浄キートップ形状表示」の横面視、７８は「ビデ洗浄キートップ形状表示」の横面視、７９は「乾燥キートップ形状表示」の横面視、８０は「水勢調節キートップ形状表示」の横面視である。本リモコンにおいては、比較的良く使用されるスイッチ類のみをクローズアップして金属製表面ケース面に配して、使用者に煩わしいスイッチ選択をさせない構成である。
【００４９】
加えて、これらキートップ形状表現を操作部キートップ内に配することで、詳細の機能説明をしなくともスイッチの意味を使用者に簡潔に理解させることができる。更には、文字表示を補助的に使うことで、文字表示を必要とする使用者にも配慮することができる。これにより、煩雑な情報を金属製表面ケース７に表示しない、意匠性の高いリモコンを使用者に提供することができる。
【００５０】
図８は、リモコン天面に配する赤外線フィルタと操作部の関係を示す平面図である。このリモコンは、前述した側面に投光する赤外線投光部に加え、上方に投光する赤外線投光部を有する。図８において、１は天面部赤外線発光フィルタ、２はリモコン天面部操作部である。リモコン天面に配する天面部赤外線発光フィルタ（ＩＲ窓）１および天面部操作部２は共に同径の円形状であり、その中心点を揃えて配置間隔を均等にしている。
【００５１】
これは、従来、特異な存在感を持ってしまっていた赤外線発光フィルタ１を、操作部２の並びの中に踏襲してしまうことを意図したデザインである。これにより、使用者に、赤外線発光フィルタ１の持つ異素材感を与えないようにすることができるだけでなく、リモコン天面Ｂの意匠性を向上することができる。
【００５２】
図９は、リモコン正面に配されている湾曲型スイッチを説明する図である。図９において、９１はノズル位置調節操作部、９２は水勢調節操作部、９３はリモコン内部に設けたスイッチ、９４は操作部を構成するキートップである。従来、ノズル位置調節操作部及び水勢調節操作部は、例えば、ノズル位置調節操作部の場合、ノズルの伸出方向に一つの操作部、収納方向に一つの操作部というように合計２個の操作部を配して、調節の状況を表示するインジケータなどを併用して構成する場合が多かった。
【００５３】
しかしながら、ノズルの位置および吐水の勢いは、使用者がスイッチ操作した場合に直接その変化を感じることができるため、インジケータをなくして、操作部キートップを統一することにより、２個の操作部を１個に統合することが可能である。
【００５４】
この操作部は、表面を凹型に湾曲させた湾曲型キートップ９４とリモコン内部スイッチ９３で構成され、キートップ９４表面側部の凸部分を押下することで、スイッチ入力を受け付ける構造となる。更には、リモコン内部、特にハンガーへの取付け部に、位置検出などのスイッチを搭載することで、リモコン本体を上下左右に動かしたり、取り付け面に押し込んだりする動作を検出してスイッチ入力と判断させれば、使用者に違和感を与えず簡素化したスイッチ操作を提供することができる。更にスイッチの数を減らすことができ、リモコン形状を小型化することも可能となる。
【００５５】
図１０は、本リモコンを卓上に置いた場合に好適に使用できるリモコンの変形例を示す断面図である。図１０において、１０１はリモコン正面（Ａ）、１０２はリモコン背面（Ｃ）、１０３はリモコン底面である。リモコン底面１０３に、後方に傾く傾斜を設けることによって、リモコン本体を、使用者の目線より低い位置にある棚上などに直置きした際に、リモコン正面に仰角を持たせることが可能となる。したがって、使用者の目線からリモコンの正面部操作部を捉えやすくなり、スイッチ類を判別しやすくなり、リモコン全体の視認性が向上する。
【００５６】
図１１は、本発明のリモコンを縦横両用リモコンとした実施形態を説明する外観図であり、１１１は横型リモコンとした状態を示し、１１２は縦型リモコンとした状態を示している。図１１において、１１３は操作部キートップ、１１４はキートップ切溝、１１５はキートップ受皿パーツ、１１６はキートップ受皿パーツの突起部である。
【００５７】
キートップ受皿パーツ１１５に構成されたキートップ受皿パーツの突起部１１６に対して、操作部キートップ１１３に構成されたキートップ切溝１１４を９０度回転させて嵌合させることで、本リモコンに対する操作部キートップ１１３は、横型リモコン１１１あるいは縦型リモコン１１２に合わせて向きを変更する対応が可能となる。なお、操作部の構成を代えずに、操作部のピクトグラム表示をシールにして後から貼り付けることでも操作部の向きを変更できる効果がある。
【００５８】
このような構成とすることにより、設置場所の壁スペースの状況に応じたリモコンの取り付けの選択肢が増えるので、施工性が向上するほか、使用者の好みに応じたリモコンの意匠を提供することが可能となる。また、リモコンを自在に縦型・横型に変更することが可能であるため、例えば、リモコン取付けスペースが狭い壁面においても最適な取付け状態を選択することができ、利便性に優れている。
【００５９】
図１２は、本リモコンの壁取り付け状況に応じた赤外線発光箇所についての説明図である。図１２において、１２１は衛生洗浄装置（衛生洗浄便座）であり、１２２は右壁取り付け時のリモコン、１２３は右壁取り付け時のリモコン赤外線発光経路、１２４は左壁取り付け時のリモコン、１２５は左壁取り付け時のリモコン赤外線発光経路、１２６は衛生洗浄装置の受光部である。
【００６０】
施工時にリモコン取り付け壁が右に決定した場合、リモコンの止め操作部といずれかの操作部の長押しや複数押しの特殊操作を行い、右壁設置を記憶させる。右壁取り付け時のリモコン１２２は右壁取り付け時のリモコン赤外線発光経路１２３（リモコンの右側側面の赤外線発光ＬＥＤからの投光）によって、衛生洗浄装置１２１の受光部１２６に向かう最短の経路で赤外線を発光させる。
【００６１】
同様に、施工時にリモコン取り付け壁が左に決定した場合、リモコンの止め操作部と右壁設定時とは異なるいずれかの操作部の長押しや複数押しの特殊操作を行い、左壁設置を記憶させる。左壁取り付け時のリモコン１２４は左壁取り付け時のリモコン赤外線発光経路１２５（リモコンの左側側面の赤外線発光ＬＥＤからの投光）によって、衛生洗浄装置の受光部１２６に向かう最短の経路で赤外線を発光させる。
【００６２】
このような構成としたことにより、衛生洗浄装置１２１に信号伝達するのに最適な赤外線発光ＬＥＤを選択して発光させることができるので、赤外通信で消費する電力を低減することが可能となり、省エネ化、電池寿命の延命化を図ることができる。
【００６３】
図１３は、リモコンの壁取り付け時には消灯し、リモコン天面の操作部群の少なくともどれか１つの操作部を押下したときに点灯する機能を示した回路ブロック図である。図１３において、１３１はリモコン背面に形成されたリモコン液晶表示部（図１の符号５に該当）、１３２はリモコンＣＰＵ、１３３は壁取り付け検出手段、１３４はリモコン天面のスイッチ群の入力手段である。
【００６４】
リモコンが壁面に取り付けられると、リモコン取付部に設けられて、リモコンがハンガーに保持されたことを検知する壁取り付け検出手段１３３の入力をリモコンＣＰＵ１３２が認識し、リモコン液晶表示部１３１を消灯させる。その後、リモコンＣＰＵは電池消費を軽減するためにスリープモードに入るが、使用者がリモコンを壁から取り外した際に、再度壁取り付け検出手段の外部割り込み信号によりウエイクアップし、リモコン液晶表示部１３１を点灯させる。あるいは、リモコンが壁取り付け状態であっても、天面部操作部のスイッチ群の入力手段を使用者が操作した場合に、リモコン液晶表示部１３１を点灯させる。
【００６５】
このような構成としたことにより、使用者が表示を確認する必要があるときのみリモコン液晶表示部１３１を点灯させることが可能となるため、液晶やＬＥＤによる不要な電池消耗を回避することができ、省エネ化、電池寿命の延命化を図ることができる。
【００６６】
図１４（ａ）はリモコンをハンガー１４４に取り付けた壁掛け状態を示す正面図であり、同（ｂ）は前記リモコンの平面図であり、図１５はハンガー１４４を示す正面図および平面図である。図１４において、１４１は壁面、１４２はリモコン本体の左右２箇所に設けられた溝状の取付け部、１４３は背面操作部４とハンガー１４４の間に形成された隙間、１４４はハンガー、１４５はハンガー１４４の左右２箇所に設けられたリモコンフック、１４６はハンガー壁取り付けネジ穴である。
【００６７】
ハンガー１４４は、壁１４１にハンガー壁取り付けネジ穴１４６を利用してネジ止めして固定する。ネジの利かない硬い材質の壁については、あらかじめアンカーを打った状態でネジ止めして固定する。壁に取り付けたハンガー１４４には、リモコンフック１４５が左右２箇所に設けられており、これらのフック１４５に、リモコン本体に設けられた溝状の取付け部１４２を、リモコン底面側からそれぞれ引っ掛けて係合させる。
【００６８】
溝状の取付け部１４２は、リモコン底面からリモコン天面Ｂに向けて延びており、底面と天面Ｂのおよそ中間点でリモコンフック１４５が止まることになる。ハンガー１４４の両端に突出させた部分を形成し、そこにリモコンフック１４５を設けたので、リモコン壁取り付け状態においては、背面部操作部４とハンガー１４４の間に所定寸法の隙間１４３が空いており、背面部操作部４を誤って押下することはない。このように、取付け部１４２を設けたことにより、ハンガー１４４への着脱性が向上するだけでなく、ハンガー１４４に対する装着状態も安定する。
【００６９】
また、図示しないが、リモコンおよびハンガー１４４のいずれか一方に、縦方向に伸びる突条を形成し、他方に縦方向に伸びる溝を形成し、リモコンをハンガー１４４に取付けたときに、これらの突条と溝とが嵌り合うようにしている。このような構成とすれば、横方向に長い形状のリモコンの両端部をハンガー１４４で保持する取付け方法を採用した場合でも、リモコンをハンガー１４４にガタツキなく取付けることができる。
【００７０】
なお、取付け部１４２に、リモコンをハンガー１４４に装着したことを検知する機能を設ければ、例えば、ハンガー１４４に対するリモコンの装着時、非装着時とによって、一つの操作部を異なる機能に変化させることも可能となり、小型化に有効である。
【００７１】
リモコンの正面部操作部３及び天面部操作部２の操作については、正面側から視認可能であって、自由に操作可能な構成となっている。また、リモコンの背面部操作部４は、リモコンを壁取り付けた状態では、壁面側に隠蔽され、視認不可能となるので、雑多なリモコンスイッチの露出を防ぐことができる。更に、リモコンの複数の面に操作部を分散させたことによりリモコン形状を大幅に小型化することが可能で、狭い空間への取り付けも容易となり、意匠性を大幅に向上する価値を使用者に提供できる。
【００７２】
次に、図１６〜図２２を参照して、本発明のその他の実施形態であるリモコンセットについて説明する。図１６はその他の実施の形態であるリモコンを示す斜視図、図１７は図１６に示すリモコンの背面図、図１８（ａ）は図１６に示すリモコンを壁面に取り付けるためのリモコンハンガーを示す正面図、（ｂ）は前記（ａ）におけるＣ−Ｃ線断面図である。また、図１９はリモコンハンガーに対するリモコンの装着機構を示す図、図２０は図１６に示すリモコンの電池カバーを離脱させた状態の背面図、図２１は図１６に示すリモコンの内部構造を示す概略図、図２２は図１７におけるＢ−Ｂ線断面図である。
【００７３】
図１６に示すように、本実施形態のリモコンセットは、リモコン２００と、後述するリモコンハンガー２３０（図１８参照）とで構成されている。リモコン２００は、正面２００Ａ、天面２００Ｂ、背面２００Ｃ、底面２００Ｄおよび左右側面２００Ｅからなる六面体形状をなしており、正面２００Ａおよび天面２００Ｂを金属製の表面ケース２０７で形成し、残余の面である背面２００Ｃ、底面２００Ｄおよび左右側面２００Ｅを樹脂基台２０８で形成している。そして、表面ケース２０７の一部である正面２００Ａに複数の操作部２０３，２０３ｘを配置し、同じく、天面２００Ｂに複数の操作部２０２を配置している。
【００７４】
これらの操作部２０２，２０３，２０３ｘは、手動操作することによって衛生洗浄装置へ動作信号を送信する動作指令系操作部である。また、図１７に示すように、リモコン２００の背面２００Ｃには、前述した実施形態の場合と同様、設定指令系操作部２０５、表示部２３５、電池カバー２３６などが設けられている。
【００７５】
このような構成とすれば、リモコン２００において、使用者の目につきやすい正面２００Ａおよび天面２００Ｂは、金属製の表面ケース２０７で形成された金属面となるので、金属材料特有の精度感、高級感が生じ、意匠性が向上する。
【００７６】
前述したように、本実施形態のリモコンセットは、図１６，図１７に示すリモコン２００と、リモコン２００を壁面Ｗに着脱可能に装着するためのリモコンハンガー２３０（図１８参照）とで構成されている。図１８に示すように、リモコンハンガー２３０に設けられた左右一対の係止爪２３１に着脱可能な取付け部２４１をリモコン２００の背面２００Ｃの両端部にそれぞれ設け、これらの取付け部２４１の間の領域に、操作部２０５、表示部２３５および電池カバー２３６を配置している。
【００７７】
このような構成とすれば、リモコンハンガー２３０に装着された状態にあるリモコン２００をリモコンハンガー２３０から離脱させる際に、リモコン２００の取付け部２４１の一方がリモコンハンガー２３０の一方の端部の係止爪２３１に係合したままの状態で引っ張られるようなことがあっても、係止爪２３１あるいは取付け部２４１が破損するのを防止することができる。
【００７８】
図１８（ｂ）に示すように、リモコンハンガー２３０の両端に設けられた係止爪２３１は互いに反対方向へ突出した略Ｌ字形状であり、リモコン２００の取付け部２４１は、図１９に示すように、係止爪２３１が嵌入可能な凹溝形状に形成されている。リモコン２００の取付け部２４１は、垂直方向（リモコン２００の短辺方向）の内壁２４１ａと、内壁２４１ａと対向する位置にあってリモコン２００の底面２００Ｄ方向に広がった形状のフック２４１ｂとで形成されている。また、リモコンハンガー２３０の左右両端にある係止爪２３１も、それぞれ下方に向かってテーパ状に広がった形状をなしている。
【００７９】
図１９に示すように、リモコン２００の背面２００Ｃにある取付け部２４１の下端開口部を、リモコンハンガー２３０の係止爪２３１の上端部に合わせ、そのままリモコン２００を垂直下方へスライドさせると、２つの係止爪２３１が、それぞれ凹溝形状の取付け部２４１内に嵌入されていき、取付け部２４１の下端開口部が係止爪２３１の底部ストッパ２３１ａに当接した位置（取付け部２４１の上端部が係止爪２３１の上端部に当接した位置）で係止される。
【００８０】
リモコンハンガー２３０の左右両端にある係止爪２３１はそれぞれ下方に向かってテーパ状に広がった形状をなし、リモコン２００の取付け部２４１には、下方に広がった形状のフック２４１ｂが形成されているため、リモコン２００をリモコンハンガー２３０に装着する際、係止爪２３１と取付け部２４１との係合が円滑に行われる。したがって、リモコン２００の取付け部２４１の一方のみが、リモコンハンガー２３０の一方の係止爪２３１に係止されるのを防止することができ、装着後の安定性も良好である。
【００８１】
また、リモコン２００をリモコンハンガー２３０に装着する際に、一方の係止爪２３１と取付け部２４１とのみが係止されてしまったような場合でも、係止爪２３１が断面略Ｌ字形状であることから取付け部２４１から抜けやすく、係止爪２３１の折れなどの破損を防ぐことができる。
【００８２】
さらに、図１７に示すように、リモコン２００においては、その背面２００Ｃの２つの取付け部２４１の間の領域に、表示部２３５および電池カバー２３６を配置している。このような構成とすることにより、リモコン２００全体の形状を薄く、細長い形状とすることができる。また、重量のある表示部２３５や電池を、２つの取付け部２４１の間に配置したことにより、リモコン２００を安定した状態でリモコンハンガー２３０に保持することができる。
【００８３】
さらに、リモコン２００においては、その背面２００Ｃに配置された操作部２０５とリモコンハンガー２３０の正面２３０Ａとの接触を阻止するため、リモコン２００の背面２００Ｃの左右の取付け部２４１の内壁２４１ａの近傍にそれぞれ垂直方向（リモコン２００の短辺方向）の凸条２４７を設けている。これにより、リモコン２００をリモコンハンガー２３０に装着した状態において、リモコン２００の背面２００Ｃの操作部２０５とリモコンハンガー２３０の正面２３０Ａとの接触を阻止することができるので、操作部２０５の誤動作や損傷を防止することができる。
【００８４】
一方、図１９に示すように、リモコン２００をリモコンハンガー２３０に装着する際に互いに着脱可能に係合する位置決め手段として、リモコン２００の背面２００Ｃに凹溝２３９を設け、リモコンハンガー２３０の正面２３０Ａに凸条２４０を設けている。このような凹溝２３９および凸条２４０を設けたことにより、リモコン２００をリモコンハンガー２３０に装着する際、凹溝２３９と凸条２４０との嵌合により、確実に位置決めすることが可能となるため、装着性が向上する。
【００８５】
また、図２１に示すように、リモコン２００の内部においては、２つの基板２０１ａ（制御部を有する第一基板），２０１ｂ（ＬＥＤのみを有する第二基板）を電池ボックス２１３を挟んで左右に配置するとともに、図２２に示すように、電池ボックス２１３の底部（正面２００Ａ寄りの部分）にある隙間２１４に信号線２１５を配線している。このように、電池ボックス２１３を挟んだ基板２０１ａ，２０１ｂ同士の結線にデッドスペースを利用しているので、リモコン２００全体の形状を薄く、細長い形状とすることができる。
【００８６】
次に、図２３〜図２６を参照して、リモコン２００の内部構造について説明する。図２３は図１６のＡ−Ａ線における断面図、図２４は図２３の一部省略分解図、図２５，図２６は図２３の部分拡大図である。
【００８７】
図２３に示すように、制御基板２０１が取り付けられた樹脂基台２０８と表面ケース２０７とは、複数の押さえネジ２２，２３を用いて接合されている。押さえネジ２２は、表面ケース２０７の固定片２０７ｔの貫通孔２０７ｇを挿通し、その裏側に配置されたメタルプレート２０４に形成された雌ねじ孔２０４ｍに螺着されている。押さえネジ２３は、表面ケース２０７の固定片２０７ｓの貫通孔２０７ｆに係止された嵌合パーツ２８に螺着されている。これらのメタルプレート２０４および嵌合パーツ２８が雌ねじ部材に相当する。
【００８８】
このように、固定片２０７ｓ，２０７ｔに、押さえネジ２２，２３（雄ネジ）が挿通可能な貫通孔２０７ｇ，２０７ｆを開設し、固定片２０７ｓ，２０７ｔを挟んで押さえネジ２２，２３と対向する位置に、押さえネジ２２，２３と螺合する雌ねじ孔２０４ｍを有するメタルプレート２０４を設けたことにより、金属製の表面ケース２０７に固定用の押さえネジ２２，２３（固定ネジ）を螺着するためのネジ孔を設ける必要がなくなるので、表面ケース２０７にタップ加工を施す必要もなくなり、製造工程の簡略化を図ることができる。
【００８９】
特に、表面ケース２０７をアルミニウム材で形成した場合、素材の特性上、強固な雌ネジ部を形成することが困難であるが、本実施形態のように、内部に設けたメタルプレート２０４に雌ネジ孔２０４ｍを形成すれば、アルミニウム材特有の外観を活かしたリモコンを得ることができる。
【００９０】
一方、制御基板２０１は、操作部２０２，２０３，２０５からの入力信号を受けて、表示部２３５（図１７参照）の表示内容を変更したり、衛生洗浄装置への赤外線信号送信を司ったりする制御部であるほか、背面側に操作部２０５のシートスイッチ２０５ｅを付設したスイッチ基板となっている。
【００９１】
また、制御基板２０１の一端には、衛生洗浄装置へ赤外線を発信するＬＥＤからなる投光部を設けている。なお、この投光部は、リモコン２００の左右両端にそれぞれ設けられるが、制御基板２０１自体は、間に電池ボックス２１３を介して２つの基板２０１ａ，２０１ｂ（図２１参照）に分離されている。すなわち、前述した制御部とスイッチ基板の機能を持ち第一ＬＥＤ２５１を有する第一基板２０１ａと、第二ＬＥＤ２５２および第三ＬＥＤ２５３を有する第二基板２０１ｂとに分離され、それぞれ信号線２１５で接続されている（図２１，図２２参照）。
【００９２】
これら３つのＬＥＤ２５１，２５２，２５３のうち、第一および第二のＬＥＤ２５１，２５２はそれぞれリモコン２００の左右側面２００Ｅに向けて赤外線を発信する向きに配置され、第三ＬＥＤ２５３はリモコン２００の天面２００Ｂに向けて赤外線を発信する向きに配置されている。
【００９３】
各ＬＥＤ２５１，２５２，２５３から発信された赤外線は、リモコン２００の天面２００Ｃから赤外線発光フィルタ（ＩＲ窓）を通してリモコン２００外へ出るが、リモコン２００の左右側面２００Ｅからは赤外線透過ＡＢＳ樹脂からなる樹脂基台２０８を通してリモコン２００外へ出るようになっている。
【００９４】
また、図２３に示すように、操作部２０２を構成するスイッチ回路部材（シートスイッチ２０２ｅ）および操作部２０３を構成するスイッチ基板２０３ｄが取り付けられた表面ケース２０７と、制御基板２０１が取り付けられた樹脂基台２０８とを対向させて組み立てた後、押さえネジ２２を、固定片２０７ｔの貫通孔２０７ｇからメタルプレート２０４の雌ねじ孔２０４ｍに螺合させ、押さえネジ２３を、固定片２０７ｓの嵌合パーツ２８の雌ねじ孔２８ｍに螺合させ、それぞれ締め付ければ、表面ケース２０７と樹脂基台２０８とを接合することができる。
【００９５】
一方、図２５，図２６に示すように、操作部２０２は、キートップ２０２ａと、キートップ２０２ａの手動操作による押し下げをガイドする樹脂製の保持部材２０２ｂと、キートップ２０２ａの押し下げにより変形するゴム製のラバー部材２０２ｃと、ラバー部材２０２ｃの一端が接触、離隔して入切されるスイッチを有するシートスイッチ２０２ｅとで構成されている。保持部材２０２ｂの裏側からキートップ２０２ａを嵌め込み、さらにラバー部材２０２ｃを被せて、保持部材２０２ｂの爪片（図示せず）にラバー部材２０２ｃを係合させて天面スイッチユニットとして一体化する。
【００９６】
また、操作部２０３は、キートップ２０３ａと、キートップ２０３ａの手動操作による押し下げをガイドする樹脂製の保持部材２０３ｂと、キートップ２０３ａの押し下げにより変形するゴム製のラバー部材２０３ｃと、ラバー部材２０３ｃの一端が接触、離隔して入切されるスイッチを有するスイッチ基板２０３ｄとで構成されている。保持部材２０３ｂの裏側からキートップ２０３ａを嵌め込み、さらにラバー部材２０３ｃを被せて、保持部材２０３ｂの爪片（図示せず）にラバー部材２０３ｃを係合させて正面スイッチユニットとして一体化する。そして、スイッチ基板２０３ｄにはシートスイッチ２０３ｅが付設され、スイッチ基板２０３ｄと、シートスイッチ２０３ｅとによってスイッチ回路部材を形成している。
【００９７】
このような構成とすれば、操作部２０２，２０３の部分をコンパクト化することができるため、操作部２０２，２０３関連部材の占有スペースが減少し、リモコン２００全体の小型化に有効である。
【００９８】
また、図１６に示すように、複数の操作部２０２，２０３を表面ケース２０７の正面２００Ａおよび天面２００Ｂの複数面に配置し、図２２に示すように、正面２００Ａに配置した操作部２０３を構成するスイッチ基板２０３ｄと、天面２００Ｂに配置した操作部２０２を構成するシートスイッチ（スイッチ回路基板）２０２ｅとを第１通信線２１９で接続し、スイッチ基板２０３ｄと制御基板２０１とを第２通信線２２２で接続している。
【００９９】
なお、第１通信線２１９とスイッチ基板２０３ｄとの接続、および第２通信線２２２とスイッチ基板２０３ｄおよび制御基板２０１との接続は、それぞれコネクタ２２１を介して行われている。すなわち、操作部２０２と操作部２０３とを、スイッチ回路部材を独立させて構成していても、スイッチ回路部材と制御基板２０１との電気的接続は、一方のスイッチ回路部材（本実施形態ではスイッチ基板２０３ｄおよびシートスイッチ２０３ｅからなるスイッチ回路部材）との間だけでなされる。このような構成とすれば、複数のスイッチ回路部材と制御基板２０１との間の配線が容易となるため、製造工程における組み立て性が向上する。
【０１００】
ここで、操作部２０２，２０３の表面ケース２０７への取付け構造について説明する。まず、表面ケース２０７の天面２００Ｂに向けて天面スイッチユニット（キートップ２０２ａ、保持部材２０２ｂおよびラバー部材２０２ｃからなるユニット）を挿入し、その下にメタルプレート２０４を設置する。このとき、両者の間にシートスイッチ２０２ｅを挟んでおく。そして、表面ケース２０７の正面２００Ａ側に向けて正面スイッチユニット（キートップ２０３ａ、保持部材２０３ｂおよびラバー部材２０３ｃからなるユニット）を挿入した後、スイッチ基板２０３ｄを装着し、樹脂製の保持部材２０３ｂにネジ止めする。この状態で天面２００Ｂ側のスイッチユニットやメタルプレート２０４は正面スイッチユニットにより仮固定される。
【０１０１】
次に、スイッチ基板２０３ｄにインナー押さえパーツ２１０を挿入する。インナー押さえパーツ２１０は、図２１に示すようにメタルプレート２０４と嵌合パーツ２８の間に差し込まれて、両者を位置決めしている。この状態で、制御基板２０１がネジ止めされた樹脂基台２０８と表面ケース２０７とを組み合わせた上で、押さえネジ２２，２３を螺合して接合する。
【０１０２】
このような構造とすれば、天面２００Ｂ側の操作部２０２を手動操作すると、インナー押さえパーツ２１０で位置決めされたメタルプレート２０４が力を受けて、スイッチ入力が良好に行なわれる。これにより、天面２００Ｂ側の操作部２０２のスイッチ回路部材２０２ｅに基板を持たせる必要がなくなったので、コンパクトな構成にすることができた。
【０１０３】
次に、図１７，図１９，図２２〜図２３を参照してリモコン２００の背面２００Ｃについて説明する。リモコン２００の背面２００Ｃには、前述したように、その両端部にリモコンハンガー２３０への取付け部２４１を有し、これらの取付け部２４１の間に、設定指令系操作部２０５と表示部２３５と電池カバー２３６を設けている。設定指令系操作部２０５は、図２３に示すように、キートップ２０５ａと、制御基板２０１に付設されたシートスイッチ２０５ｅとからなり、キートップ２０５ａを押圧するとその基部が変形してシートスイッチ２０５ｅに接触してスイッチ入力がなされる仕様である。
【０１０４】
表示部２３５は、制御基板２０１上に設けられる液晶表示部（ＬＣＤ表示部）２０６と、樹脂基台２０８に凹設される透明板２０８ａとで構成される。液晶表示部２０６は、透明板２０８ａで覆われているため、リモコン２００をリモコンハンガー２３０に着脱する際にの損傷を確実に防止することができる。なお、透明板２０８ａには、設定指令系操作部２０５や表示部２３５の説明文字を印刷している。
【０１０５】
また、図２０に示すように、電池カバー２３６を外すと、電池ボックス２１３とＤＩＰスイッチ２５４が露出する。ＤＩＰスイッチ２５４の設定を切り換えることにより、リモコン２００から衛生洗浄装置に送信する赤外線信号に異なる識別コードを付与することができる。電池カバー２３６は比較的簡単に外すことができるので、リモコン２００を分解することなく、ＤＩＰスイッチ２５４の設定の切換を容易に行うことができる。
【０１０６】
なお、電池ボックス２１３と、表面ケース２０７との間には、電池からの放電が金属製の表面ケース２０７に達しないように、表面ケース２０７の裏面に樹脂フィルムシート２１６を貼り付けている。また、金属製の表面ケース２０７および電池ボックス２１３内の電極に対し外部から静電気の印加が行われた場合の回路部品の誤動作・破壊防止のため、電池ボックス２１３の負極側から表面ケース２０７に端子（図示せず）を延設して接触させている。これにより、静電気に帯電した使用者が表面ケース２０７に触れても静電気破壊が発生しない。
【０１０７】
次に、図２７を参照して、本発明に係るリモコンセットを構成するリモコンに関するその他の実施の形態について説明する。図２７（ａ）〜（ｆ）はその他の実施の形態であるリモコンを示す斜視図である。図２７に示すリモコン３００，４００，５００，６００，７００，８００は、いずれも壁面（図示せず）に取付けられたリモコンハンガー（図示せず）に対して着脱自在であり、壁面に取付けた状態で視認不可能なリモコン背面に設定指令系の操作部（図示せず）を配置し、壁面に取付けた状態で視認可能な面に動作指令系の操作部３０１，４０１，５０１，６０１，７０１，８０１を配置している。
【０１０８】
図２７（ａ）に示すリモコン３００は、その長手方向と直交する断面が非長方形の四辺形であり、正面３００Ａが斜めに傾斜した形状である。正面３００Ａが上向きに傾斜しているため、正面３００Ａに配置された操作部３０１が視認しやすい。
【０１０９】
図２７（ｂ）に示すリモコン４００は、その長手方向と直交する断面がトンネル形状をなしている。リモコン４００の天面４００Ｂの部分が平面に連なる滑らかな曲面をなしているため、誤って体の一部が当接した場合に痛みが少なく、損傷も受けにくい。
【０１１０】
図２７（ｃ）に示すリモコン５００は、その長手方向と直交する断面が三角形をなしている。上向きに傾斜した正面５００Ａに操作部５０１が配置されているため、操作部５０１の視認性および操作性が良好である。
【０１１１】
図２７（ｄ）に示すリモコン６００は、その全体形状が蒲鉾形状をなしている。操作部６０１が配置された面は曲面をなしているため、手でふれたときの感触が滑らかであり、誤って体の一部が当接した場合に痛みが少なく、損傷も受けにくい。
【０１１２】
図２７（ｅ）に示すリモコン７００は、その長手方向と直交する面が略く字形状をなしている。リモコン７００の場合、正面７００Ａ、天面７００Ｂおよび傾斜面７００Ｃの３つの面に操作部７０１を分散配置することができるため、各操作部７０１を機能別に配置することも可能であり、操作性の向上を図ることができる。
【０１１３】
図２７（ｆ）に示すリモコン８００は、その全体形状が円柱形状をなしているため、リモコンハンガーに着脱する際などに手で掴みやすい。また、尖った部分が殆どないので、誤って体の一部が当接した場合に痛みが少なく、損傷も受けにくい。
【産業上の利用可能性】
【０１１４】
本発明のリモコンセットは、トイレルームに設置された衛生洗浄装置等にトイレ装置に備わる種々の機能を遠隔操作によって作動させるための装置として広く利用することができる。
【図面の簡単な説明】
【０１１５】
【図１】本発明の一実施形態にかかるリモコンを説明する平面図，正面図，背面図および右側面図である。
【図２】リモコンの断面図である。
【図３】赤外線投光部を説明するために、リモコンを一部内部透視状態とした概略背面図である。
【図４】リモコンの金属製表面パネルのコーナーＲを説明する斜視図である。
【図５】リモコンの手持ち箇所を説明する外観図である。
【図６】リモコンのスイッチ表示に使用するピクトグラムの例を示す図である。
【図７】リモコンのスイッチ表示に使用するキートップ形状表現の別の例を示す図である。
【図８】リモコン天面に配する赤外線フィルタと操作部の外観図である。
【図９】リモコン正面に配する湾曲型スイッチの外観図である。
【図１０】リモコンを卓上に置いた場合に好適に使用できるリモコンの変形例を示す断面図である。
【図１１】本発明のリモコンを縦横両用リモコンとした実施形態を説明する外観図である。
【図１２】リモコンの壁取り付け状況に応じた赤外線発光箇所についての説明図である。
【図１３】リモコンの壁取り付け時には消灯し、リモコン天面の操作部群の少なくともどれか１つの操作部を押下したときに点灯する機能を示した回路ブロック図である。
【図１４】リモコンをハンガーに取り付けた壁掛け状態を示す正面図と平面図である。
【図１５】ハンガーを示す正面図と平面図である。
【図１６】本発明のその他の実施の形態であるリモコンを示す斜視図である。
【図１７】図１６に示すリモコンの背面図である。
【図１８】（ａ）は図１６に示すリモコンを壁面に取り付けるためのリモコンハンガーを示す正面図であり、（ｂ）は前記（ａ）におけるＣ−Ｃ線断面図である。
【図１９】リモコンハンガーに対するリモコンの装着機構を示す図である。
【図２０】図１６に示すリモコンの電池カバーを離脱させた状態の背面図である。
【図２１】図１６に示すリモコンの内部構造を示す概略図である。
【図２２】図１７のＢ−Ｂ線における断面図である。
【図２３】図１６のＡ−Ａ線における断面図である。
【図２４】図２３の一部省略分解図である。
【図２５】図２３の部分拡大図である。
【図２６】図２３の部分拡大図である。
【図２７】その他の実施の形態であるリモコンを示す斜視図である。
【符号の説明】
【０１１６】
Ａ  リモコン正面
Ｂ  リモコン天面
Ｃ  リモコン背面
１  天面部赤外線発光フィルタ（ＩＲ窓）
２  リモコン天面部操作部
３  リモコン正面部操作部
４  リモコン背面部操作部
５  リモコン背面部表示部
６，２３６  電池カバー
７  表面ケース（表面パネル）
８  樹脂基台（ボトムケース）
１１  正面部操作部用キートップ
１２  正面部操作部用ラバーシール
１３  正面部操作部用摺動パーツ
１４  正面部操作部用基板
１５  正面部操作部用スイッチ
１６  インナー押さえパーツ
１７  天面部メタルプレート（天面部操作部用基板）
１８  天面部操作部用スイッチ
１９  天面部操作部用ラバーシール
２０  天面部操作部用キートップ
２１  天面部操作部用摺動パーツ
２２  天面部操作部用押さえネジ
２３  正面部操作部用押さえネジ
２４  背面部操作部用基板
２５  ＬＣＤ表示部
２６  背面部操作部用キートップラバー基板
２７  背面部操作部用スイッチ
２８  正面部操作部用押さえネジ用嵌合パーツ
３１  赤外発光ＬＥＤ
４１  コーナー部
５１  リモコン手持ちスペース（握り部）
９１  ノズル位置調節操作部
９２  水勢調節操作部
１０１  リモコン正面
１０２  リモコン背面
１０３  リモコン底面
１１１  横型リモコン
１１２  縦型リモコン
１１３  操作部キートップ
１１４  キートップ切溝
１１５  キートップ受皿パーツ
１１６  突起部
１２１  衛生洗浄装置
１２２  右壁取り付け時のリモコン
１２３  右壁取り付け時のリモコン赤外線発光経路
１２４  左壁取り付け時のリモコン
１２５  左壁取り付け時のリモコン赤外線発光経路
１２６  受光部
１３１  リモコン液晶表示部
１３２  リモコンＣＰＵ
１３３  壁取り付け検出手段
１３４  スイッチ群の入力手段
１４１  壁面
１４２  取付け部
１４３  背面スイッチとリモコンホルダーの隙間
１４４  ハンガー
１４５  リモコンフック
１４６  ハンガー壁取り付けネジ穴
２００，３００，４００，５００，６００，７００，８００  リモコン
２００Ａ，３００Ａ，５００Ａ，７００Ａ  正面
２００Ｂ，４００Ｂ，７００Ｂ  天面
２００Ｃ  背面
２００Ｄ  底面
２００Ｅ  側面
２０１  制御基板
２０１ａ  第一基板
２０１ｂ  第二基板
２０２，２０３，２０３ｘ，２０４  操作部
２０２ａ，２０３ａ，２０５ａ  キートップ
２０２ｂ，２０３ｂ  保持部材
２０２ｃ，２０３ｃ  ラバー部材
２０２ｅ，２０３ｅ，２０５ｅ  シートスイッチ
２０３ｄ  スイッチ基板
２０４  メタルプレート
２０４ｍ  雌ネジ孔
２０５  設定指令系操作部
２０６  液晶表示部（ＬＣＤ表示部）
２０７ｆ，２０７ｇ  貫通孔
２０７ｔ，２０７ｓ  固定片
２０８  樹脂基台
２０８ａ  透明板
２１０  インナー押さえパーツ
２１３  電池ボックス
２１４  隙間
２１５  信号線
２１６  樹脂フィルムシート
２１９  第１通信線
２２１  コネクタ
２２２  第２通信線
２３０  リモコンハンガー
２３０Ａ  正面
２３１  係止爪
２３１ａ  底部ストッパ
２３５  表示部
２３６  電池カバー
２３９  凹溝
２４０，２４７  凸条
２４１  取付け部
２４１ａ  内壁
２４１ｂ  フック
２５１  第一ＬＥＤ
２５２  第二ＬＥＤ
２５３  第三ＬＥＤ
２５４  ＤＩＰスイッチ
３０１，４０１，５０１，６０１，７０１，８０１  動作指令系操作部
７００Ｃ  傾斜面
Ｗ  壁面
【図１】
2005204271.tif 000003
【図２】
2005204271.tif 000004
【図３】
2005204271.tif 000005
【図４】
2005204271.tif 000006
【図５】
2005204271.tif 000007
【図６】
2005204271.tif 000008
【図７】
2005204271.tif 000009
【図８】
2005204271.tif 000010
【図９】
2005204271.tif 000011
【図１０】
2005204271.tif 000012
【図１１】
2005204271.tif 000013
【図１２】
2005204271.tif 000014
【図１３】
2005204271.tif 000015
【図１４】
2005204271.tif 000016
【図１５】
2005204271.tif 000017
【図１６】
2005204271.tif 000018
【図１７】
2005204271.tif 000019
【図１８】
2005204271.tif 000020
【図１９】
2005204271.tif 000021
【図２０】
2005204271.tif 000022
【図２１】
2005204271.tif 000023
【図２２】
2005204271.tif 000024
【図２３】
2005204271.tif 000025
【図２４】
2005204271.tif 000026
【図２５】
2005204271.tif 000027
【図２６】
2005204271.tif 000028
【図２７】
2005204271.tif 000029